(57)【要約】【課題】意匠的な印象を拡大するスマートフォンケースを提供する。【解決手段】枠体構造の本体ケース３によって、スマートフォン本体２の裏面に交換可能な状態で重ね合わせるように意匠図柄表示パネル１１を取り付けるようにしたことにより、ユーザが手に持つスマートフォン１を常に自分の好みに応じた意匠的印象に適合させるようにでき、これによりスマートフォン１を一段と使い易くできるようなスマートフォンケースを実現できる。【選択図】図２
0003216153.tif 000002
【実用新案登録請求の範囲】
【請求項１】
スマートフォン本体の外周部を囲うことにより外部からの障害を軽減する枠体構造の本体ケースと、
上記スマートフォン本体の裏側面に交換可能な状態で重ね合わせるように上記本体ケースによって取り付けられ、これにより上記スマートフォン本体の上記裏側面の方向から意匠図柄を見ることができる意匠図柄表示パネルと
を有し、
上記意匠図柄表示パネルを交換することにより上記本体ケース全体としての意匠の印象を変更できるようにした
ことを特徴とするスマートフォンケース。
【請求項２】
上記意匠図柄表示パネルは透明材料で構成され、当該意匠図柄表示パネルの裏側面に上記意匠図柄を形成することにより上記スマートフォン本体の上記裏側面の方向から上記意匠図柄表示パネルの上記裏側面に形成された上記意匠図柄を当該意匠図柄表示パネルの厚味を透過して見ることができる
ことを特徴とする請求項１に記載のスマートフォンケース。
【請求項３】
上記意匠図柄表示パネルは不透明材料で構成され、当該意匠図柄表示パネルの表側面に上記意匠図柄を形成することにより上記スマートフォン本体の上記裏側面の方向から上記意匠図柄表示パネルの上記表側面に形成された上記意匠図柄を直接見ることができる
ことを特徴とする請求項１に記載のスマートフォンケース。
【請求項４】
上記本体ケースの枠体構造の長手方向の中央部左右位置に外方に突出するようにグリップ用突出部を形成し、ユーザは上記グリップ用突出部を手でしっかり把持して上記スマートフォン本体の情報処理操作をできるようにした
ことを特徴とする請求項１に記載のスマートフォンケース。
【請求項５】
上記本体ケースは柔軟材料によってユーザが手に持ったとき、指先に柔軟性と適度なざらつきを感じさせるようにした
ことを特徴とする請求項１に記載のスマートフォンケース。
【請求項６】
上記意匠図柄表示パネルの上記厚味は中央部に行くに従って厚くすることによりレンズ効果をもつようになされ、これにより上記裏側面の反対側の表側面から見た上記意匠図柄は上記厚味の変化によるレンズ効果に基づいて上記裏側面に形成された上記意匠図柄を鮮明に表示される
ことを特徴とする請求項２に記載のスマートフォンケース。
【請求項７】
上記意匠図柄表示パネルの上記スマートフォン本体の上記裏側面に重ね合わされる裏側面に突起を設け、上記突起を上記スマートフォン本体の上記裏側面に当接させることによって上記スマートフォン本体の上記裏側面と上記意匠図柄表示パネルの裏側面との間に隙間を形成することにより「にじみ模様」を生じさせないようにした
ことを特徴とする請求項１に記載のスマートフォンケース。
【考案の詳細な説明】
【技術分野】
【０００１】
本考案はスマートフォンケースに関し、特に落下耐・衝撃性能と、外観上の意匠的印象とを融合させたものである。
【背景技術】
【０００２】
近年、スマートフォンは携帯用情報処理装置としてユーザがスマートフォンケースに収納した状態で常時手に持って操作利用するようになっており、従ってユーザがスマートフォンを取り扱い易いスマートフォンケースに入れてこれを取り落とすことなく安全に持ち運ぶことができるようにすることが求められている（特許文献1及び２参照）。
【先行技術文献】
【特許文献】
【０００３】
【特許文献１】実用新案登録第３１７０２１６号公報
【特許文献２】実用新案登録第３２０９６５４号公報
【考案の概要】
【考案が解決しようとする課題】
【０００４】
ところで、従来のスマートフォンは落下により操作面を構成するガラス製のタッチパネルが割れる事故が多く発生しており、これを防止する工夫が求められている。
【０００５】
これに加えて、スマートフォンは多くのユーザの日常生活に欠くことができない日常的生活用具としての機能が求められるようになったので、ユーザは手に持つスマートフォンケースの意匠的な印象がその時々の自分の持ち物として好みに適合したものであることを欲するようになってきている。
【０００６】
これらの問題を解決するため、落下耐・衝撃性能を強化するため全体を柔軟性をもつＴＰＵ（ラバー樹脂）ケースを製作することが考えられているが、この種のケースは外観上の意匠効果を表現しにくく、意匠的効果を表現するために例えばプリント手段を用いようとしてもプリント表現に制限がある問題がある。
【０００７】
本考案は以上の点を考慮してなされたもので、スマートフォンに対する落下耐・衝撃性能を強化すると共に、外観が日常的生活用具として一段と容易にユーザの好みに適合した意匠的効果を表現し得るようにしたスマートフォンケースを提案しようとするものである。
【課題を解決するための手段】
【０００８】
かかる課題を解決するため本考案においては、スマートフォン本体２の外周部を囲むことにより外部からの障害を軽減する枠体構造の本体ケース３と、スマートフォン本体２の裏側面に交換可能な状態で重ね合わせるように本体ケース３によって取り付けられ、これによりスマートフォン本体２の裏側面の方向から意匠図柄を見ることができる意匠図柄表示パネル１１とを有し、意匠図柄表示パネル１１を交換することにより本体ケース３全体としての意匠の印象を変更できるようにした。
【考案の効果】
【０００９】
本考案によれば、枠体構造の本体ケースによって、スマートフォン本体の裏側面に交換可能な状態で重ね合わせるように意匠図柄表示パネルを取り付けることにより、ユーザが手に持つスマートフォンに対して耐衝性をもつ外周ケースとデザイン性に優れた意匠図柄表示パネルとを適合させることによって常に自分の好みに応じた意匠的印象に適合させるようにでき、これによりスマートフォンを一段と使い易くできるようなスマートフォンケースを実現できる。
【図面の簡単な説明】
【００１０】
【図１】スマートフォンの外観構造を示す斜視図である。
【図２】本体ケースの組立構成を示すもので、（Ａ）はＸ１−Ｘ１断面図、（Ｂ）はＸ２−Ｘ２断面図、（Ｃ）は本体ケースの正面図、（Ｄ）はフィルタパネルの正面図である。
【図３】フィルタパネルにより与えられる意匠図柄の説明に供する斜視図で、（Ａ）は裏側面を示す斜視図、（Ｂ）は表側面を示す斜視図である。
【図４】フィルタパネルの組立て方の説明に供する略線的斜視図である。
【図５】本体ケースの係合子の説明に供する斜視図で、（Ａ）は本体ケースの斜視図、（Ｂ）はＹ−Ｙ断面図である。
【図６】フィルタパネルの係合子の説明に供する略線的斜視図で、（Ａ）はフィルタパネルの斜視図、（Ｂ）は部分拡大図である。
【図７】本体ケース及びフィルタパネルの係合の仕方の説明に供する部分的拡大図で、（Ａ）はフィルタパネル及び本体ケースの部分的断面図、（Ｂ）は拡大断面図である。
【図８】本体ケース及びフィルタパネルの係合の仕方の説明に供する部分的拡大図で、（Ａ）はフィルタパネル及び本体ケースの部分的断面図、（Ｂ）は拡大断面図である。
【図９】（Ａ）、（Ｂ）は白地のフィルタパネルを用いた場合の意匠図柄の説明に供する斜視図である。
【図１０】フィルタパネルの他の実施の形態を示す斜視図で、（Ａ）は本体ケースの斜視図、（Ｂ）はその要部を示す部分拡大斜視図、（Ｃ）は係合動作の説明に供する拡大斜視図である。
【図１１】本考案によるスマートフォンケースの変形例を示す略線的斜視図である。
【図１２】図１１の組立構造を示す断面図である。
【図１３】「にじみ模様」の説明に供する斜視図である。
【考案を実施するための形態】
【００１１】
以下図面について、本考案の一実施の形態を詳述する。
【００１２】
（１）全体構成
図１において、１は全体として携帯用情報処理装置としてのスマートフォンを示し、スマートフォン本体２の周縁部が裏面側から本体ケース３によって一体に保持されている。
【００１３】
（２）本体ケース
本体ケース３は図２（Ａ）〜（Ｃ）に示すように、長方形状のスマートフォン本体２の縦方向の長さＬ１及び横方向の長さＬ２に対応する内枠寸法を有する枠体構造を形成しており、これにより本体ケース３の枠体構造内にスマートフォン本体２を嵌め込んだとき、スマートフォン本体２の周面を囲むように付着保持するようになされている。
【００１４】
ここで本体ケース３は耐衝撃に優れた柔軟性樹脂として、ＴＰＵ（ウレタン）や、エラストマ（複合素材合成樹脂）で構成され、これによりスマートフォン本体２の外周面部分に外部から衝撃が加えられたとき、これを防護するようになされている。
【００１５】
これに加えて本体ケース３の素材の表面は指先の滑り止め効果をもつように「シボ」、「エッチング」と呼ぶような表面処理を施されており、これによりユーザがスマートフォン１を手で保持したとき指先に柔軟性と、適度なざらつきとを感じることによりスマートフォン１を取り落とすような恐れを有効に防止するようになされている。
【００１６】
（３）フィルタパネル
スマートフォン本体２の外周部を囲むように形成された本体ケース３は図２（Ａ）〜（Ｄ）に示すように、スマートフォン本体２の背面位置に意匠図柄表示パネル（以下これをフィルタパネルとも呼ぶ）１１を設ける。
【００１７】
フィルタパネル従って意匠図柄表示パネル１１は図２（Ｃ）及び（Ｄ）に示すように、本体ケース３の枠体構造空間において当該枠内空間を被うようにスマートフォン本体２の背面に設けられることにより当該背面空間を後方側から見たときスマートフォン１全体としての意匠的効果を生じさせる。なお１２はカメラ孔を示す。
【００１８】
この実施の形態の場合、フィルタパネル１１はポリカーボネートや、アクリルや、ＰＥＴ（ペット材）、ＭＳ材などの透明材料で構成され、図２（Ａ）及び（Ｂ）に示すようにスマートフォン本体２の裏側面２Ｂに接触するように設けられたフィルタパネル１１のうち、スマートフォン本体２に接触する側の裏側面１１Ａは凹凸がない平らな面に構成され、当該平らな面でなる裏側面１１Ａに、図３（Ｂ）に示すように、例えばインクジェットプリント、又は転写による印刷を用いて描画意匠図柄１５Ａが描画されている。
【００１９】
これによりフィルタパネル１１のスマートフォン本体２の裏側面２Ｂに接触しない反対側の表側面１１Ｂに図３（Ａ）に示すように、透明材料を透過した透過意匠図柄１５Ｂを表示することができる。
【００２０】
この実施の形態の場合、フィルタパネル１１は図２（Ａ）及び（Ｂ）に示すように中央部分の厚味がレンズ効果をもたせるように厚くなるように構成されており、これにより裏側面１１Ａにプリントされた描画意匠図柄１５Ａ（図３（Ｂ））がフィルタパネル１１の厚さ加工によるレンズ効果によってより鮮明になった透過意匠図柄１５Ｂ（図３（Ａ））としてスマートフォン１の表側面１１Ｂの側に映出させることができる。
【００２１】
これによりスマートフォン１の裏面側から見た意匠的印象を一段と強化することができる。
【００２２】
このようにフィルタパネル１１として透明材料を用いてそのスマートフォン本体２に接触する側の裏側面１１Ａにインクジェットプリントや転写による印刷により描画意匠図柄１５Ａを描画するようにしたので、当該意匠図柄を描画するために用いたインク面がフィルタパネル１１の表側面１１Ｂに露出させないようにできることにより、当該印刷がスマートフォン１を使用することによりたとえ外側から繰り返し擦られるような状態になっても、当該印刷が剥がれたり劣化したりすることはないので、スマートフォン１の使用時に全体としての意匠的効果を劣化させないようにすることができる。
【００２３】
（４）本体ケースの外観形状
実際上スマートフォン１の裏面側にフィルタパネル１１を設ける場合、図４に示すように本体ケース３の枠構造に対してフィルタパネル１１を下側から差し込むことにより、図５（Ａ）に示すように、本体ケース３の枠構成部３Ａの空間部分にフィルタパネル１１の表側面１１Ｂが見える状態に組み立てられる。
【００２４】
この図５（Ａ）の組立て状態において、本体ケース３は長手方向のほぼ中央位置において外側部分が左右方向に突出するようにグリップ用突出部２１が形成され、これによりユーザは本体ケース３、従ってスマートフォン１をグリップ用突出部２１の突出形状を利用してその隣接する部分の窪みを用いて本体ケース３をしっかりと把持することができるようになされている。
【００２５】
かくしてユーザがスマートフォン１を一段としっかりと把持して情報処理操作をできるようになされている。
【００２６】
本体ケース３へのフィルタパネル１１の一体化は、図５に示す本体ケース３の係合部に対して図６に示すフィルタパネル１１に設けられた係合部材を係合することにより一体に構成される。
【００２７】
すなわち、本体ケース３は断面Ｕ字状に構成された環状部３１の上端板部３２に対して６個の係合突起３３Ａ、３３Ｂ、３３Ｃ、３３Ｄ、３３Ｅ及び３３Ｆが外周方向に所定の間隔を保って下方に突出するように設けられていると共に、環状部３１の長手方向の中央部の左右位置に２つの係合突起３４Ａ及び３４Ｂが設けられている。
【００２８】
これに対して、フィルタパネル１１の外周縁には図６（Ａ）及び（Ｂ）に示すように横方向外方に突出するようなフィルタパネル突出部材３７が形成され、このフィルタパネル突出部材３７に図６（Ａ）に示すように本体ケース３の係合突起３３Ａ〜３３Ｆ（図５（Ａ））に対応する係合突起３５Ａ〜３５Ｆが設けられていると共に、フィルタパネル突出部材３７の左右中央位置に、本体ケース３の係合突起３４Ａ及び３４Ｂ（図５（Ａ））に対応する係合孔３６Ａ及び３６Ｂが形成されている。
【００２９】
これによりフィルタパネル１１が本体ケース３の環状部３１に下方から差し込まれたとき、フィルタパネル１１の係合孔３６Ａ〜３６Ｂがそれぞれ対応する位置に設けられている本体ケース３の係合突起３３Ａ〜３３Ｆと係合すると共に、フィルタパネル１１の２つの係合孔３６Ａ〜３６Ｂが本体ケース３の対応する位置に形成されている係合突起３４Ａ〜３４Ｂに挿入されることにより、フィルタパネル１１が本体ケース３と強固に一体化されることになる。
【００３０】
因みに、フィルタパネル１１の係合突起３５Ａ〜３５Ｆと本体ケース３の係合突起３３Ａ〜３３Ｆとの係合は、図８（Ｂ）示すように、フィルタパネル１１を本体ケース３に下方から差し込んだとき、図８（Ａ）に示すように係合突起３５Ａ〜３５Ｆに係合突起３３Ａ〜３３Ｆが嵌合することにより係合状態になる。
【００３１】
またフィルタパネル１１の係合孔３６Ａ〜３６Ｂと本体ケース３の係合突起３４Ａ〜３４Ｂとの係合は、フィルタパネル１１を本体ケース３に下方から差し込んだとき、図７（Ｂ）に示すように係合突起３４Ａ〜３４Ｂが係合孔３６Ａ〜３６Ｂに挿入されることにより図７（Ａ）に示すような係合状態になる。
【００３２】
（５）作用効果
以上の構成において、本体ケース３によって外周面を保護されたスマートフォン本体２は、ユーザがグリップ用突出部２１を利用して本体ケース３を手に持った状態においてスマートフォン本体２の表側面２Ａを見ながらスマートフォン本体２を情報処理動作させることができる。
【００３３】
かくするにつき、スマートフォン本体２の裏側面２Ｂに裏側面１１Ａを接触させる状態で透明材料で構成されたフィルタパネル１１が設けられていることにより、スマートフォン１を裏側面２Ｂの位置から見れば、本体ケース３の枠体構造の中央部分にフィルタパネル１１の表側面１１Ｂから裏側面１１Ａを通してスマートフォン本体２の裏側面２Ｂを見ることができる状態になっているが、この実施の形態の場合フィルタパネル１１のスマートフォン本体２と接触する裏側面１１Ａ（図３（Ｂ））に描画された描画意匠図柄１５Ａをフィルタパネル１１の厚みを通して表側面１１Ｂ（図３（Ａ））に透過意匠図柄１５Ｂとして見ることができ、かくして当該スマートフォン１を手に持つユーザは、自分の好みに適合した透過意匠図柄１５Ｂをフィルタパネル１１の表側から見ながら心地良くスマートフォン本体２を使用することができる。
【００３４】
これにより手持ちの日用用品として優れた意匠効果をもったスマートフォン１を実現することができる。
【００３５】
このような効果をもつスマートフォン１について、ユーザは本体ケース３からフィルタパネル１１を外してこれを別の透過意匠図柄１５Ｂを描画したものに交換することができ、これによりユーザはあらかじめ数種類の透過意匠図柄１５Ｂを描いたフィルタパネル１１を用意しておけば、時として自分の好みに合った意匠図柄をもったスマートフォン１を使用することができる。
【００３６】
かくしてユーザは外観が日常的生活用具として一段と好みに適合した意匠的な印象を与えるようなスマートフォンを常時手元に置くことができる。
【００３７】
（６）他の実施の形態
（６−１）上述の実施の形態においてはフィルタパネル１１を透明材料で構成しその表側面に意匠的図柄を描画するようにした場合について述べたが、フィルタパネル１１としてはこれに限らず、白色、又は黒色、又はその他の色彩をもつ不透明材料をもつフィルタパネル１１を用いるようにしても、上述の場合と同様の効果をもつスマートフォン１を実現できる。
【００３８】
当該不透明材料としては白色や黒色のカーボネートや、ＡＢＳＰＳなどの樹脂材料を用いることができる。
【００３９】
特に白色の不透明材料を用いた場合には、フィルタパネル１１を透過させてスマートフォン本体２の裏側面を見ることはできないのに対して、フィルタパネル１１の不透明な表側面１１Ｂ上に意匠的な図柄を描画することができ、これによりスマートフォン１としてユーザの好みに適合した意匠的な印象を与えるようにしたスマートフォンケースを実現できる。
【００４０】
例えば図９に示すように、白色材料で構成されたフィルタパネル１１の表側面１１Ｂが図９（Ａ）に示すように白色素材のままである状態において、図９（Ｂ）に示すような意匠的図柄４１を直接表側面１１Ｂにインクジェット式プリンタによって印刷することができる。
【００４１】
この場合透明材料の場合と違って生地が透けないために、多くの色彩を用いて意匠的効果を高めるような意匠的図柄４１を形成することができる。
【００４２】
白色材料のパネルを使う理由は、印刷で白の印刷の工程を省くことによって安価で化飾ができることである。
【００４３】
かくして安価での競争商品は白色材料を使うことで達成できる。
【００４４】
一方、高級感を出したい場合は透明材料にて裏面から印刷を行い、高級感を出す。
【００４５】
従来の透明の製品は箱型になっていた為に裏面からの印刷ができなかったが、分割と裏面を平らにすることによって、透明材料の裏面からの印刷を可能にした。
【００４６】
透明材料を使うことによって、ガラスのような高級感が得られ、本来もっているスマートフォンの背面の意匠も害することなく意匠を創作することができる。
【００４７】
（６−２）上述の実施の形態の場合フィルタパネル１１を本体ケース３に一体化するにつき、図６（Ａ）及び（Ｂ）に示すように、係合突起３５Ａ〜３５Ｆと共に係合孔３６Ａ〜３６Ｂを形成するようにしたが、係合孔３６Ａ〜３６Ｂに代え、図１０（Ａ）及び（Ｂ）に示すように、外側から割込溝３８Ａを形成したような係合溝３９Ａ〜３９Ｂを設け、当該係合溝３９Ａ〜３９Ｂに図１０（Ｃ）に示すように、本体ケース３に設けられた対応する係合用突起４０を差し込むようにしてもよい。
【００４８】
このようにしても上述の場合と同様にしてフィルタパネル１１を本体ケース３に一体化させることができる。
【００４９】
（６−３）変形例
図１１及び図１２は、本考案によるスマートフォンケースの変形例を示すもので、図２との対応部分に同一符号を付して示すように、スマートフォン本体２のカメラ５０が設けられている裏側面２Ｂにフィルタパネル１１を重ね合わせる際に、フィルタパネル１１の裏側面１１Ａの周縁部分（必要に応じて中央部分）に所定の間隔を保つように複数の突起（ボス）４５を設ける。
【００５０】
この結果、スマートフォン本体２の裏側面２Ｂにフィルタパネル１１を重ね合わせて本体ケース３によって一体に組立てたとき、図１２に示すように、スマートフォン本体２の裏側面２Ｂとフィルタパネル１１の裏側面１１Ａとの間に（例えば０．２〜０．３[ｍｍ]程度の）隙間４６が形成される。
【００５１】
以上の構成において、スマートフォン本体２の裏側面２Ｂとフィルタパネル１１の裏側面１１Ａとの間に隙間４６が形成されたことにより、図１３に示すような「にじみ模様」４７が発生することを防止できる。
【００５２】
この「にじみ模様」４７は、本来、スマートフォン本体２の裏側面２Ｂ及びフィルタパネル１１の裏側面１１Ａが凹凸がない鏡面に仕上げられているため、スマートフォン本体２の裏側面２Ｂに対してフィルタパネル１１の裏側面１１Ａが直接に重ね合わされると、両者が密着するために密着面間に図１３に示すような「にじみ模様」４７が生じることが回避できない。
【００５３】
この「にじみ模様」４７は、組み立てられたスマートフォン１を裏側から見たとき、透明材料で構成されているフィルタパネル１１の厚味を通して当該フィルタパネル１１の表側面１１Ｂから看取される。
【００５４】
ところがフィルタパネル１１の表側面１１Ｂには上述のように透過意匠図柄１５Ｂを表示するようになっているのに対して、この透過意匠図柄１５Ｂに重なるように、予期せぬ「にじみ模様」４７が看取できることは、スマートフォン１全体としての意匠効果を劣化させる結果になる。
【００５５】
以上の構成によれば、このような意匠効果の劣化の原因になる「にじみ模様」４７の発生を有効に防止できることにより、ユーザのスマートフォン１の使い勝手を向上させることができる。
【産業上の利用可能性】
【００５６】
本考案はスマートフォンケースに利用できる。
【符号の説明】
【００５７】
１……スマートフォン、２……スマートフォン本体、３……本体ケース、１１……フィルタパネル（意匠図柄表示パネル）、１５Ａ……描画意匠図柄、１５Ｂ……透過意匠図柄、２１……グリップ用突出部、３１……環状部、３３Ａ〜３３Ｆ……係合突起、３６Ａ〜３６Ｂ……係合孔。
【図１】
0003216153.tif 000003
【図２】
0003216153.tif 000004
【図３】
0003216153.tif 000005
【図４】
0003216153.tif 000006
【図５】
0003216153.tif 000007
【図６】
0003216153.tif 000008
【図７】
0003216153.tif 000009
【図８】
0003216153.tif 000010
【図９】
0003216153.tif 000011
【図１０】
0003216153.tif 000012
【図１１】
0003216153.tif 000013
【図１２】
0003216153.tif 000014
【図１３】
0003216153.tif 000015